(57)【要約】【課題】対象物（特に人工歯を固定する支台）を簡単かつ安定して保持することのできる保持具を提供すること。【解決手段】保持具１は、基端部同士が連結され、先端部同士が離間して設けられた一対の持ち手部２、３と、一対の持ち手部２、３の各々の先端部に設けられた一対の掴み部４、５とを有している。また、掴み部４、５は、他方の掴み部と反対側に位置する挟持面４１、５１を有し、一対の持ち手部２、３の先端部同士を接近させ、掴み部４、５を交差させることにより挟持面４１、５１が対向し、挟持面４１、５１が対向した状態では、挟持面４１、５１同士を接近させる付勢力が発生している。【選択図】図１
2013252288.tif 000002
【特許請求の範囲】
【請求項１】
基端部同士が連結され、先端部同士が離間して設けられた一対の持ち手部と、
前記一対の持ち手部の各々の先端部に設けられた一対の掴み部と、を有し、
各前記掴み部は、他方の前記掴み部と反対側に位置する挟持面を有し、
前記一対の持ち手部の先端部同士を接近させ、前記一対の掴み部を交差させることにより、各前記掴み部の挟持面同士が対向し、
前記挟持面同士が対向した状態では、前記挟持面同士を接近させる付勢力が発生していることを特徴とする保持具。
【請求項２】
前記挟持面同士が対向した状態では、前記一対の持ち手部の少なくとも一方が弾性変形している請求項２に記載の保持具。
【請求項３】
各前記挟持面は、略円弧状に湾曲している請求項１または２に記載の保持具。
【請求項４】
一対の持ち手部と、
前記一対の持ち手部の先端部に設けられ、前記一対の持ち手部を互いに回動可能に連結する連結部と、
前記一対の持ち手部の各々の先端部に設けられた一対の掴み部と、を有し、
各前記掴み部は、他方の前記掴み部側に位置する挟持面を有し、
自然状態から前記一対の持ち手部の基端部同士を接近させると、前記挟持面同士が前記自然状態に対して離間し、
前記挟持面同士が離間した状態では、前記挟持面同士を接近させる付勢力が発生していることを特徴とする保持具。
【請求項５】
前記一対の持ち手部の間であって前記連結部よりも基端側に設けられた弾性体を有し、
前記自然状態に対して前記挟持面同士が離間した状態では、前記弾性体が変形している請求項４に記載の保持具。
【請求項６】
各前記挟持面は、略円弧状に湾曲している請求項４または５に記載の保持具。
【請求項７】
人工歯を固定する支台を保持する請求項１ないし６のいずれかに記載の保持具。
【発明の詳細な説明】
【技術分野】
【０００１】
本発明は、保持具、特に支台保持用の保持具に関するものである。
【背景技術】
【０００２】
従来から、歯科治療の一種として、欠損歯を補うインプラント治療が知られている。このような治療は、まず、歯を失った顎の骨にフィクスチャー（人工歯根）を埋め込み、埋め込んだフィクスチャーの上部にアバットメント（連結部材）を装着し、さらに、アバットメントにインプラント義歯（人工歯）を装着することにより行われる。ここで、フィクスチャーへのアバットメントの装着は、一般的には、アバットメントに形成された雄ネジを、フィクスチャーに形成された雌ネジに螺号することにより行われる。
【０００３】
この際、ドライバーの先に取り付けた状態でアバットメントをフィクスチャーまで運び、そのままネジ止めする方法があるが、アバットメントの状態が不安定なため、運んでいる最中にドライバーから離脱、落下するおそれがある。そのため、安全性を考慮して、一方の手でアバットメントをフィクスチャーまで運び、他方の手でドライバーを操作してアバットメントをフィクスチャーにネジ止めする方法もあるが、狭い口腔内での作業であるため、アバットメントが不安定になり易い。このように、前者、後者のいずれの方法においても、アバットメントが不安定になり易く、治療を円滑かつ安全に行うことができないという問題があった。
【先行技術文献】
【特許文献】
【０００４】
【特許文献１】特開２０１１−２００５７０号公報
【発明の概要】
【発明が解決しようとする課題】
【０００５】
本発明の目的は、対象物（特に人工歯を固定する支台）を簡単かつ安定して保持することのできる保持具を提供することにある。
【課題を解決するための手段】
【０００６】
このような目的は、下記（１）〜（７）の本発明により達成される。
（１）  基端部同士が連結され、先端部同士が離間して設けられた一対の持ち手部と、
前記一対の持ち手部の各々の先端部に設けられた一対の掴み部と、を有し、
各前記掴み部は、他方の前記掴み部と反対側に位置する挟持面を有し、
前記一対の持ち手部の先端部同士を接近させ、前記一対の掴み部を交差させることにより、各前記掴み部の挟持面同士が対向し、
前記挟持面同士が対向した状態では、前記挟持面同士を接近させる付勢力が発生していることを特徴とする保持具。
【０００７】
（２）  前記挟持面同士が対向した状態では、前記一対の持ち手部の少なくとも一方が弾性変形している上記（２）に記載の保持具。
【０００８】
（３）  各前記挟持面は、略円弧状に湾曲している上記（１）または（２）に記載の保持具。
【０００９】
（４）  一対の持ち手部と、
前記一対の持ち手部の先端部に設けられ、前記一対の持ち手部を互いに回動可能に連結する連結部と、
前記一対の持ち手部の各々の先端部に設けられた一対の掴み部と、を有し、
各前記掴み部は、他方の前記掴み部側に位置する挟持面を有し、
自然状態から前記一対の持ち手部の基端部同士を接近させると、前記挟持面同士が前記自然状態に対して離間し、
前記挟持面同士が離間した状態では、前記挟持面同士を接近させる付勢力が発生していることを特徴とする保持具。
【００１０】
（５）  前記一対の持ち手部の間であって前記連結部よりも基端側に設けられた弾性体を有し、
前記自然状態に対して前記挟持面同士が離間した状態では、前記弾性体が変形している上記（４）に記載の保持具。
【００１１】
（６）  各前記挟持面は、略円弧状に湾曲している上記（４）または（５）に記載の保持具。
【００１２】
（７）  人工歯を固定する支台を保持する上記（１）ないし（６）のいずれかに記載の保持具。
【発明の効果】
【００１３】
本発明によれば、対象物（特に人工歯を固定する支台）を簡単かつ安定して保持することができる。一対の挟持面の間に対象物を配置し、付勢力によって一対の挟持面を接近させることによって、一対の挟持面で対象物を挟持することができる。このような構成によると、付勢力によって対象物を保持することができるため、対象物をより確実かつ安定して保持することができる。また、対象物を保持している状態では、使用者は、持ち手部を軽く掴んでいればよいため作業者の疲労を軽減することができる。特に、付勢力を持ち手部の弾性変形や弾性体（例えばバネ）によって発生させることにより、その構成が簡単となる。
【図面の簡単な説明】
【００１４】
【図１】本発明の保持具の第１実施形態を示す斜視図である。
【図２】図１に示す保持具の使用方法を説明するための図である。
【図３】図１に示す保持具の使用方法を説明するための図である。
【図４】図１に示す保持具の使用方法を説明するための図である。
【図５】本発明の第２実施形態に係る保持具を示す平面図である。
【図６】図５に示す保持具の変形例を示す断面図である。
【発明を実施するための形態】
【００１５】
以下、本発明の保持具の好適な実施形態について、添付図面を参照しつつ説明する。
＜第１実施形態＞
まず、本発明の保持具の第１実施形態について説明する。
【００１６】
図１は、本発明の保持具の第１実施形態を示す斜視図、図２ないし図４は、図１に示す保持具の使用方法を説明するための図である。
【００１７】
図１（ａ）に示す保持具（ピンセット）１は、対象物、特に、インプラント治療に用いられるアバットメント（支台）を保持するためのものである。なお、図１（ａ）は、外力が加わっていない自然状態を示し、図１（ｂ）は、自然状態よりも閉じた状態を示す図である。
【００１８】
このような保持具１は、一端が連結された一対の持ち手部２、３と、その一対の持ち手部２、３の他端に設けられた一対の掴み部４、５とを備えて構成されている。本実施形態では、掴み部４は、持ち手部２と一体的に形成されており、掴み部５は、持ち手部３と一体的に形成されている。なお、このような持ち手部２、３および掴み部４、５の構成材料としては、特に限定されず、例えば、鉄、ニッケル、チタン等の各種金属、またはこれらのうちの少なくとも１種を含む合金（特に、ステンレス鋼）や、ポリエチレン、ポリプロピレンのような各種樹脂等を用いることができる。
【００１９】
一対の持ち手部２、３は、それぞれ、長尺状をなしており、その長手方向の一端において連結固定部６として連結されている。連結固定部６は、２つの部材を重ね合わせ、互いに重ね合わされた部分を溶接や接着剤その他の手段により接合する構成とすることができ、また、１本の長い部材を折り曲げただけの構成とすることもできる。また、持ち手部２、３の先端部は、適当な間隔で離間している。持ち手部２、３は、それぞれ、適度な強さの弾性を有しており、その弾性に抗して一対の持ち手部２、３を閉じ方向へ掴むことにより、先端側（自由端側）の間隔を狭めることができる。
【００２０】
持ち手部２の先端に連結された掴み部４は、アバットメント（例えば、後述するヒーリングアバットメント２２０やアバットメント２３０）の外周形状に対応した形状の挟持面４１を有している。アバットメントは、通常、略円柱形であるため、挟持面４１は、略円弧状（好ましくは略半円弧状）に湾曲した面で構成されている。また、この挟持面４１は、自然状態にて、持ち手部３と反対側を向いている。持ち手部３の先端に連結された掴み部５も同様に、略円弧状（好ましくは半円弧状）に湾曲した挟持面５１を有しており、挟持面５１は、自然状態にて、持ち手部２と反対側を向いている。すなわち、自然状態では、保持具１は、挟持面４１、５１の間にアバットメントを配置できない閉じた状態（閉状態）となっている。
【００２１】
掴み部４、５の厚さＬは、持ち手部２、３よりも薄い。厚さＬとしては、特に限定されないが、アバットメントの高さよりも薄いのが好ましい。具体的には、アバットメントの高さが通常５ｍｍ程度であるため、それよりも小さい値である０．５〜２ｍｍ程度であるのが好ましい。このような細さとすると、掴み部４、５でアバットメントと保持した際に、アバットメントの上部および下部が掴み部４、５から突出するため、アバットメントの装着をより容易に行うことがでる。
【００２２】
これら掴み部４、５は、厚さ方向にずれて配置されており、持ち手部２、３を閉じ方向へ押し込むことにより、図１（ｂ）に示すように交差させることができる。交差させた状態では、挟持面４１、５１が対向して位置し、開いた状態（開状態）となる。この状態にて挟持面４１、５１の間にアバットメントを配置し、持ち手部２、３を自然状態へ復帰させるようにして掴む力を緩めると、挟持面４１、５１でアバットメントを挟持することができる。このような構成によると、持ち手部２、３が有する弾性力（矢印方向の復元力）によってアバットメントを保持することができるため、アバットメントをより確実かつ安定して保持することができる。また、アバットメントを保持している状態では、使用者は、持ち手部２、３を弾性変形しない程度に軽く掴んでいればよいため作業者の疲労を軽減することができる。
【００２３】
なお、挟持面５１、５２には、アバットメントとの摩擦力を高めるための凹凸加工が施されていてもよい。このような加工を施すことにより、より安定してアバットメントを保持することができる。また、持ち手部２、３には、例えば、ゴム材料や樹脂材料で構成されたカバー（グリップ）が設けられていてもよい。このようなカバーを設けることにより、持ち手部２、３のグリップ感を増すことができ、その操作性を向上させることができる。
【００２４】
次に、保持具１を用いたインプラント治療を一例を挙げて説明する。なお、以下では、外科手術を１回行う「１回法」について代表して説明するが、外科手術を２回行う「２回法」についても同様に保持具１を用いることができる。また、下記のフィクスチャー２１０、ヒーリングアバットメント２２０、アバットメント２３０の構成は、特に限定されず、公知のフィクスチャー、ヒーリングアバットメント、アバットメントを適宜用いることができる。
【００２５】
図２（ａ）に示すように、麻酔を行った後、歯肉３５０を切開し歯槽骨３００を露出させ、専用のドリルを用いて歯槽骨３００にフィクスチャー２１０を埋め込むための穴３１０をあける。次に、図２（ｂ）に示すように、穴３１０にフィクスチャー２１０を埋め込み、歯肉を縫合する。
【００２６】
次に、図３（ａ）に示すように、ヒーリングアバットメント（仮のアバットメント）２２０をフィクスチャー２１０の上端部に装着する。この際、一方の手で保持具１を操作し、挟持面４１、５１でヒーリングアバットメント２２０を挟持してフィクスチャー２１０まで運び、他方の手で専用のドライバーを用いてヒーリングアバットメント２２０をフィクスチャー２１０に螺号させる。このような方法によれば、保持具１によってヒーリングアバットメント２２０を簡単かつ安定的に保持することができるため、ヒーリングアバットメント２２０の口腔内への落下を防止することができ、フィクスチャー２１０への装着を簡単かつ安全に行うことができる。また、保持具１の挟持面４１、５１が小さく構成されているため、ドライバーを操作するためのスペースを大きく確保することができる。そのため、ヒーリングアバットメント２２０の装着をより容易かつ確実に行うことができる。
【００２７】
なお、このとき、保持具１の弾性力によっては、ヒーリングアバットメント２２０が強く挟持され、ドライバーによってヒーリングアバットメント２２０を回転させることができない場合（困難な場合）もある。そのときは、持ち手部２、３を掴む力を僅かに強めて、ヒーリングアバットメント２２０が保持具１から離脱しない程度に挟持面４１、５１を離間させ、保持具１に対してヒーリングアバットメント２２０が回転容易な状態とすればよい。このように、保持具１では必要に応じてヒーリングアバットメント２２０の把持力を微調整することができるため、ヒーリングアバットメント２２０の搬送およびフィクスチャー２１０への装着の各々の工程を容易かつ確実に行うことができる。
【００２８】
次に、フィクスチャー２１０と歯槽骨３００とを結合させるために一定の治療期間を置いた後、ヒーリングアバットメント２２０をフィクスチャー２１０から取り外す。ヒーリングアバットメント２２０の取り外しは、装着したときと同様に、一方の手で保持具１を操作して挟持面４１、５１でヒーリングアバットメント２２０を挟持し、他方の手でドライバーを操作することにより、フィクスチャー２１０からヒーリングアバットメント２２０を取り外す。この際、保持具１によって、ヒーリングアバットメント２２０を保持しているため、ヒーリングアバットメント２２０がフィクスチャー２１０から外れた際の、口腔内への落下を確実に防止することできる。
【００２９】
次に、図３（ｂ）に示すように、フィクスチャー２１０に、人工歯２４０と連結させるためのアバットメント２３０を取り付ける。この際、まず、一方の手で保持具１を操作してアバットメント２３０をフィクスチャー２１０まで運び、その凸部をフィクスチャー２１０の凹部に挿入する。凸部および凹部は、形状付けされており、凹部に凸部が嵌った状態ではアバットメント２３０のフィクスチャー２１０に対する回転が阻止され、アバットメント２３０が所定の向きを維持する。次に、保持具１によってアバットメント２３０を保持したまま、他方の手で、スクリュー２５０をドライバーの先端に取り付けた状態で運び、そのままドライバーでスクリュー２５０を回してアバットメント２３０をフィクスチャー２１０に固定する。
【００３０】
最後に、図４に示すように、アバットメント２３０に人工歯２４０を装着する。これにより、インプラント治療が完了する。
【００３１】
以上説明したように、保持具１によれば、ヒーリングアバットメント２２０およびアバットメント２３０を安定して保持することができるため、アバットメントの口腔内への落下を防止でき、上述したようなインプラント治療を容易かつ安全に行うことができる。
【００３２】
＜第２実施形態＞
次に、本発明の保持具の第２実施形態について説明する。
【００３３】
図５は、本発明の第２実施形態に係る保持具を示す平面図、図６は、図５に示す保持具の変形例を示す断面図である。
【００３４】
以下、第２実施形態の保持具について、前述した第１実施形態との相違点を中心に説明し、同様の事項については、その説明を省略する。
【００３５】
図５（ａ）に示す保持具１Ａは、一対の持ち手部２Ａ、３Ａと、一対の持ち手部２Ａ、３Ａの先端に設けられた一対の掴み部４Ａ、５Ａと、持ち手部２Ａ、３Ａを付勢するバネ（弾性体）７Ａとを備えている。なお、図５では、保持具１Ａの自然状態を図示している。
【００３６】
このような保持具１Ａでは、持ち手部２Ａと掴み部４Ａとが一体的に形成されており、持ち手部３Ａと掴み部５Ａとが一体的に形成されている。これらの構成材料としては、特に限定されず、例えば、鉄、ニッケル、チタン等の各種金属、またはこれらのうちの少なくとも１種を含む合金（特に、ステンレス鋼）や、ポリエチレン、ポリプロピレンのような各種樹脂を用いることができる。
【００３７】
持ち手部２Ａ、３Ａは、それぞれ、共に長尺状をなしており、その先端部にて連結部６Ａによって回動可能に連結されている。また、持ち手部２Ａ、３Ａの基端部の間には、バネ７Ａが設けられており、このバネ７Ａによって、持ち手部２Ａ、３Ａが互いの基端部が離間する方向に付勢されている。
【００３８】
持ち手部２Ａの先端に連結された掴み部４Ａは、略円弧状に湾曲した挟持面４１Ａを有しており、挟持面４１Ａは、持ち手部３Ａ側を向いている。一方、持ち手部３Ａの先端に連結された掴み部５Ａは、略円弧状に湾曲した挟持面５１Ａを有し、挟持面５１Ａは、持ち手部２Ａ側を向いている。すなわち、挟持面４１Ａ、５１Ａは、互いに対向して設けられている。このような保持具１Ａは、自然状態では、掴み部４Ａ、５Ａが閉じた状態（閉状態）となっている。
【００３９】
バネ７Ａの付勢力に抗して持ち手部２Ａ、３Ａを閉じると、挟持面４１Ａ、５１Ａが離間し、開いた状態（開状態）となる。この状態にて挟持面４１Ａ、５１Ａの間にアバットメントを配置し、持ち手部２Ａ、３Ａを掴む力を弱めると、バネ７Ａの付勢力によって挟持面４１、５１が閉じ、図５（ｂ）に示すように、アバットメントを挟持することができる。このような構成によると、バネ７Ａが有する付勢力（復元力）によってアバットメントを保持することができるため、アバットメントをより確実かつ安定して保持することができる。また、アバットメントを保持している状態では、使用者は、持ち手部２Ａ、３Ａをバネ７Ａが収縮しない程度に軽く掴んでいればよいため作業者の疲労を軽減することができる。
【００４０】
このような第２実施形態によっても、前述した第１実施形態と同様の効果を発揮することができる。
【００４１】
なお、本実施形態の保持具１Ａの変形例として、図６に示す構成が挙げられる。図６は、図５中のＡ−Ａ線断面に対応する断面を示している。
【００４２】
図６（ａ）に示すように、掴み部４Ａ、５Ａが厚さ方向の一端部に挟持面４１Ａ、５１Ａよりも内側へ突出する突出部（リブ）４２Ａ、５２Ａを有していてもよい。突出部４２Ａ、５２Ａは、それぞれ、ドライバーの操作を阻害しない形状とされる。このような突出部４２Ａ、５２Ａを有していると、図６（ｂ）に示すように、アバットメントの上面と突出部４２Ａ、５２Ａの下面が当接することにより、アバットメントと挟持面４１Ａ、５１Ａとの滑りを防止することができる。そのため、例えば、アバットメントをフィクスチャーに対して押し込みながら、ドライバーでネジ止めすることができるため、アバットメントの装着をより安全かつ確実に行うことができる。
【００４３】
以上、図示の実施形態に基づいて本発明の保持具を説明したが、本発明は、これらに限定されるものでない。例えば、本発明の保持具では、各部の構成は、同様の機能を発揮する任意の構成のものに置換することができ、また、任意の構成を付加することもできる。
【００４４】
また、前述した実施形態では、持ち手部と掴み部とが一体的に形成された構成について説明したが、持ち手部と掴み部とが別体で形成されていてもよい。
【符号の説明】
【００４５】
１、１Ａ…保持具
２、２Ａ…持ち手部
３、３Ａ…持ち手部
４、４Ａ…掴み部
４１、４１Ａ…挟持面
４２Ａ、５２Ａ…突出部
５、５Ａ…掴み部
５１、５１Ａ…挟持面
６…連結固定部
６Ａ…連結部
７Ａ…バネ
２１０…フィクスチャー
２２０…ヒーリングアバットメント
２３０…アバットメント
２４０…人工歯
２５０…スクリュー
３００…歯槽骨
３１０…穴
３５０…歯肉
【図１】
2013252288.tif 000003
【図２】
2013252288.tif 000004
【図３】
2013252288.tif 000005
【図４】
2013252288.tif 000006
【図５】
2013252288.tif 000007
【図６】
2013252288.tif 000008